(57)【要約】【課題】通信品質の安定化及び向上を図ったバッテリ監視装置を提供する。【解決手段】  検出用基板１１Ａ〜１１Ｈは、一列に並べられた複数のセル２１Ａ〜２１Ｈ毎に搭載され、搭載されたセル２１Ａ〜２１Ｈの状態情報を無線通信する第１アンテナＡＴ１を有する。ＥＣＵ基板１２は、第１アンテナＡＴ１から送信される状態情報を受信するための第２アンテナＡＴ２が搭載する。複数の検出用基板１１Ａ〜１１Ｈ及びＥＣＵ基板１２は、複数のセル２１Ａ〜２１Ｈの同一平面である上面上に配置される。複数の検出用基板１１Ａ〜１１Ｈは、並び方向Ｄ２に沿って一列に並べて配置される。ＥＣＵ基板１２は、セル２１Ａ〜２１Ｈの並び方向Ｄ２中央に配置される。【選択図】図１
2020027767.tif 000002
【特許請求の範囲】
【請求項１】
一列に並べられた複数の電池モジュール毎に搭載され、前記電池モジュールの状態情報を無線送信する複数の第１アンテナと、前記第１アンテナから送信される前記状態情報を受信するための第２アンテナと、前記第２アンテナにより受信した状態情報に基づいて前記複数の電池モジュールの監視を行う監視部と、を備えたバッテリ監視装置であって、
前記複数の第１アンテナは、同一平面上に搭載され、
前記第２アンテナは、前記電池モジュールの並び方向中央に配置されていることを特徴とするバッテリ監視装置。
【請求項２】
前記複数の第１アンテナは、前記並び方向に沿って一列に並べて配置され、
前記複数の第１アンテナ及び前記第２アンテナは、平面視において、前記並び方向と直交する直交方向に離間して配置されることを特徴とする請求項１に記載のバッテリ監視装置。
【請求項３】
前記第２アンテナは、平面視において、前記並び方向と直交する直交方向中央に配置され、
前記複数の第１アンテナのうち前記並び方向の一方側から奇数番目に配置された第１アンテナは、前記第２アンテナよりも前記直交方向一方側に配置され、
前記複数の第１アンテナのうち前記並び方向の一方側から偶数番目に配置された第１アンテナは、前記第２アンテナよりも前記直交方向他方側に配置されたことを特徴とする請求項１に記載のバッテリ監視装置。
【請求項４】
前記第２アンテナ及び前記並び方向両端に配置された電池モジュールに搭載された第１アンテナは、平面視において、前記並び方向と直交する直交方向中央に配置され、
残りの前記第１アンテナのうち前記並び方向の一方側から奇数番目に配置された第１アンテナは、前記第２アンテナよりも前記直交方向一方側に配置され、
残りの前記第１アンテナのうち前記並び方向の一方側から偶数番目に配置された第１アンテナＡＴ１は、前記第２アンテナよりも前記直交方向他方側に配置され、
前記並び方向中央に近い電池モジュールに搭載された第１アンテナほど、前記直交方向中央から離れた位置に配置されることを特徴とする請求項１に記載のバッテリ監視装置。
【請求項５】
前記第１アンテナは、検出用基板の端部に搭載され、
前記検出用基板は、前記第１アンテナが搭載された端部が前記第２アンテナ側に向けられるように配置されていることを特徴とする請求項１〜４何れか１項に記載のバッテリ監視装置。
【請求項６】
一列に並べられた複数の電池モジュール毎に搭載され、前記電池モジュールの状態情報を無線通信する複数の第１アンテナと、前記第１アンテナから送信される前記状態情報を受信するための第２アンテナと、前記第２アンテナにより受信した状態情報に基づいて前記複数の電池モジュールの監視を行う監視部と、を備えたバッテリ監視装置であって、
前記複数の第１アンテナは、同一平面上に搭載されると共に、当該同一平面上において前記第１アンテナの指向性が最も強い方向に沿って並べられ、
前記第２アンテナは、前記複数の第１アンテナの少なくとも一つと、前記同一平面上又は前記同一平面と直交する平面上において前記第１アンテナ及び前記第２アンテナ（の指向性が最も強い方向に対向して配置されることを特徴とするバッテリ監視装置。
【発明の詳細な説明】
【技術分野】
【０００１】
本発明は、バッテリ監視装置に関する。
【背景技術】
【０００２】
複数のセル或いは単セルを有するバッテリの状態を監視するバッテリ監視装置として、例えば、特許文献１、２に示すものが提案されている。特許文献１、２に示すバッテリ監視装置は、各セルの状態情報を検出する複数の検出ユニットと、複数の検出ユニットからの状態情報が転送されるＥＣＵと、を備えている。
【０００３】
特許文献１、２では、各セルの検出ユニットに第１のアンテナを搭載し、この検出ユニットの第１のアンテナに対向配置する複数の第２のアンテナをバッテリの搭載部材に設けて、これら複数の第２のアンテナをＥＣＵに接続することにより、無線で状態情報の転送を行っている。しかしながら、第２のアンテナをセルの数だけ設け、さらに複数の第２のアンテナとＥＣＵとを接続する必要があり、コスト的に問題があった。
【０００４】
そこで、第２のアンテナを１つだけＥＣＵに搭載して、複数の検出ユニットからの情報を受信できることが望ましいが、検出ユニットやＥＣＵの配置によってはＥＣＵと検出ユニット間の通信経路上に、他の検出ユニットが配置され、通信を阻害する恐れがあった。また、検出ユニットからＥＣＵへ直接通信できない場合、他の検出ユニット（中継ユニット）を経由してＥＣＵと通信を行うことも考えられるが、その場合であっても、検出ユニットと中継ユニットとの間に他の検出ユニットが配置され、通信を阻害する恐れがあった。
【先行技術文献】
【特許文献】
【０００５】
【特許文献１】特開２０１６−１５７６８１号公報
【特許文献２】特開２０１２−８５４９１号公報
【発明の概要】
【発明が解決しようとする課題】
【０００６】
本発明は、以上の背景に鑑みてなされたものであり、通信品質の安定化及び向上を図ったバッテリ監視装置を提供することを目的としている。
【課題を解決するための手段】
【０００７】
本発明の態様であるバッテリ監視装置は、一列に並べられた複数の電池モジュール毎に搭載され、前記電池モジュールの状態情報を無線送信する複数の第１アンテナと、前記第１アンテナから送信される前記状態情報を受信するための第２アンテナと、前記第２アンテナにより受信した状態情報に基づいて前記複数の電池モジュールの監視を行う監視部と、を備えたバッテリ監視装置であって、前記複数の第１アンテナは、同一平面上に搭載され、前記第２アンテナは、前記電池モジュールの並び方向中央に配置されていることを特徴とする。
【０００８】
また、前記複数の第１アンテナは、前記並び方向に沿って一列に並べて配置され、前記複数の第１アンテナ及び前記第２アンテナは、平面視において、前記並び方向と直交する直交方向に離間して配置されていてもよい。
【０００９】
また、前記第２アンテナは、平面視において、前記並び方向と直交する直交方向中央に配置され、前記複数の第１アンテナのうち前記並び方向の一方側から奇数番目に配置された第１アンテナは、前記第２アンテナよりも前記直交方向一方側に配置され、前記複数の第１アンテナのうち前記並び方向の一方側から偶数番目に配置された第１アンテナは、前記第２アンテナよりも前記直交方向他方側に配置されていてもよい。
【００１０】
また、前記第２アンテナ及び前記並び方向両端に配置された電池モジュールに搭載された第１アンテナは、平面視において、前記並び方向と直交する直交方向中央に配置され、残りの前記第１アンテナのうち前記並び方向の一方側から奇数番目に配置された第１アンテナは、前記第２アンテナよりも前記直交方向一方側に配置され、残りの前記第１アンテナのうち前記並び方向の一方側から偶数番目に配置された第１アンテナＡＴ１は、前記第２アンテナよりも前記直交方向他方側に配置され、前記並び方向中央に近い電池モジュールに搭載された第１アンテナほど、前記直交方向中央から離れた位置に配置されていてもよい。
【００１１】
また、前記第１アンテナは、検出用基板の端部に搭載され、前記検出用基板は、前記第１アンテナが搭載された端部が前記第２アンテナ側に向けられるように配置されていてもよい。
【００１２】
本発明の態様であるバッテリ監視装置は、一列に並べられた複数の電池モジュール毎に搭載され、前記電池モジュールの状態情報を無線通信する複数の第１アンテナと、前記第１アンテナから送信される前記状態情報を受信するための第２アンテナと、前記第２アンテナにより受信した状態情報に基づいて前記複数の電池モジュールの監視を行う監視部と、を備えたバッテリ監視装置であって、前記複数の第１アンテナは、同一平面上に搭載されると共に、当該同一平面上において前記第１アンテナの指向性が最も強い方向に沿って並べられ、前記第２アンテナは、前記複数の第１アンテナの少なくとも一つと、前記同一平面上又は前記同一平面と直交する平面上において前記第１アンテナ及び前記第２アンテナの指向性が最も強い方向に対向して配置されることを特徴とする。
【発明の効果】
【００１３】
以上説明したように態様によれば、通信品質の安定化及び向上を図ることができる。
【図面の簡単な説明】
【００１４】
【図１】第１実施形態における電池パックに搭載された本発明のバッテリ監視装置の上面図である。
【図２】図１に示すバッテリ監視装置の電気構成図である。
【図３】第２実施形態におけるバッテリ監視装置の上面図である。
【図４】第３実施形態におけるバッテリ監視装置の上面図である。
【図５】第３実施形態の変形例におけるバッテリ監視装置の上面図である。
【図６】第４実施形態におけるバッテリ監視装置の分解斜視図である。
【図７】図６の上面図である。
【図８】図６の側面図である。
【図９】他の実施形態におけるバッテリ監視装置の側面図である。
【発明を実施するための形態】
【００１５】
（第１実施形態）
図１は、第１実施形態における電池パック２に搭載された本発明のバッテリ監視装置１の上面図である。図２は、図１に示すバッテリ監視装置１の電気構成図である。バッテリ監視装置１は、図示しない車両に搭載された電池パック２の状態を監視する装置である。このような車両は、ハイブリッドカーや電気自動車など電動モータからの駆動力により走行する車両である。電池パック２は、この車両に搭載された電動モータに電源を供給する。
【００１６】
電池パック２は、互いに直列接続された複数の電池モジュール２１Ａ〜２１Ｈから構成されたバッテリ２１と、バッテリ２１を収容する筐体２２と、を備えている。複数の電池モジュール２１Ａ〜２１Ｈは、複数のセルから構成されてもよいし、１つのセルから構成されていてもよい。複数の電池モジュール２１Ａ〜２１Ｈは、箱型に設けられ、一列に並べて筐体２２内に収容されている。これら電池モジュール２１Ａ〜２１Ｈの上面には、それぞれ図示しない一対の電極（正極、負極）が幅方向Ｄ１に並んで設けられている。電池モジュール２１Ａ〜２１Ｈを構成するセルは、正極、負極が互い違いに並べられ、隣り合うセルの電極同士を接続することにより直列に接続される。
【００１７】
筐体２２は、上面が開口された筐体本体２１２と、筐体本体２１２の開口を覆う図示しない蓋部と、を備えている。この筐体本体２１２内に複数の電池モジュール２１Ａ〜２１Ｈを収容し、図示しない蓋部により電池モジュール２１Ａ〜２１Ｈの上面を覆う。
【００１８】
バッテリ監視装置１は、電池パック２を構成する電池モジュールの状態を監視する装置であり、複数の電池モジュール２１Ａ〜２１Ｈ毎に搭載された複数の検出用基板１１Ａ〜１１Ｈと、１つのＥＣＵ基板１２と、を有している。なお、本実施形態では、複数の電池モジュール２１Ａ〜２１Ｈに対して複数の検出用基板１１Ａ〜１１Ｈを搭載した例について説明するが、これに限ったものではない。複数の電池モジュール２１Ａ〜２１Ｈの複数個に対して１つの検出用基板を搭載してもよい。
【００１９】
複数の検出用基板１１Ａ〜１１Ｈは、電池モジュール２１Ａ〜２１Ｈに対して１対１で設けられ、１つの電池モジュール２１Ａ〜２１Ｈに１つの検出用基板１１Ａ〜１１Ｈが搭載されている。複数の検出用基板１１Ａ〜１１Ｈは各々、図２に示すように、搭載された電池モジュールの状態情報（セル電圧、セル温度など）を検出する検出回路１１１と、無線回路１１２と、電池モジュールの状態情報を無線送信する第１アンテナＡＴ１と、を有している。
【００２０】
第１実施形態において複数の検出用基板１１Ａ〜１１Ｈは、図１に示すように、各電池モジュール２１Ａ〜２１Ｈの上面上に配置されている。また、複数の検出用基板１１Ａ〜１１Ｈは、各電池モジュール２１Ａ〜２１Ｈ上面の幅方向Ｄ１一方側に、電池モジュール２１Ａ〜２１Ｈの並び方向Ｄ２に沿って一列に並んで配置されている。なお、幅方向Ｄ１は、同一平面である各電池モジュール２１Ａ〜２１Ｈの上面において並び方向Ｄ２と直交する方向である。また、検出用基板１１Ａ〜１１Ｈは各々、例えば長尺状の基板であり、その長手方向が幅方向Ｄ１に沿うように配置されている。第１アンテナＡＴ１は、検出用基板１１Ａ〜１１Ｈの長手方向の一端部に配置され、第１アンテナＡＴ１はＥＣＵ基板１２から離れた側に配置されている。なお、本実施形態では、第１アンテナＡＴ１は、ＥＣＵ基板１２から離れた側に配置されたれ例について説明するが、これに限らず、第1アンテナＡＴ１はＥＣＵ基板１２に近い側に配置してもよい。
【００２１】
ＥＣＵ基板１２は、複数の検出用基板１１Ａ〜１１Ｈに対して１つ設けられている。ＥＣＵ基板１２は、図２に示すように、第１アンテナＡＴ１から送信される状態情報を受信するための第２アンテナＡＴ２と、受信された状態情報に基づいてバッテリ２１の監視処理（セルの異常検出処理やセルの均等化処理など）を行うＥＣＵ１２１（監視部）と、が搭載されている。第２アンテナＡＴ２は、複数の第１アンテナＡＴ１に対して１つ（または多数でも可）設けられている。
【００２２】
ＥＣＵ基板１２は、図１に示すように、バッテリ２１上面の中心に配置されている。詳しく説明すると、ＥＣＵ基板１２は、バッテリ２１の上面視において、幅方向Ｄ１中央かつ並び方向Ｄ２中央に配置されている。これにより、ＥＣＵ基板１２は、複数の検出用基板１１Ａ〜１１Ｈと幅方向Ｄ１に離間する。ＥＣＵ基板１２は、バッテリ２１に取り付けてバッテリ２１の上面上に配置してもよいし、図示しない蓋部に取り付けてバッテリ２１の上面上に配置してもよい。
【００２３】
なお、上記検出用基板１１Ａ〜１１ＨとＥＣＵ基板１２との通信は、各検出用基板１１Ａ〜１１Ｈが直接ＥＣＵ基板１２と通信を行う直接方式でもよい。また、各検出用基板１１Ａ〜１１ＨがＥＣＵ基板１２と直接通信できない場合、隣接する他の検出用基板１１Ａ〜１１Ｈを中継してＥＣＵ基板１２と通信する中継方式であってもよい。
【００２４】
上述した第１実施形態によれば、複数の電池モジュール２１Ａ〜２１Ｈ各々に搭載される第１アンテナＡＴ１が、複数の電池モジュール２１Ａ〜２１Ｈの同一平面上（上面上）に配置され、第２アンテナＡＴ２は、並び方向Ｄ２中央に配置される。これにより、各検出用基板１１Ａ〜１１Ｈの第１アンテナＡＴ１とＥＣＵ基板１２の第２アンテナＡＴ２との間の通信経路に他の検出用基板１１Ａ〜１１Ｈの第１アンテナＡＴ１がなるべく配置されないようにして、通信品質の安定化及び向上を図ることができる。
【００２５】
また、上述した第１実施形態によれば、複数の第１アンテナＡＴ１は、並び方向Ｄ２に沿って一列に並べて配置され、複数の第１アンテナＡＴ１及び第２アンテナＡＴ２は、幅方向Ｄ１に離間して配置される。これにより、各電池モジュール２１Ａ〜２１Ｈにおける第１アンテナＡＴ１の搭載位置が同じであっても、各検出用基板１１Ａ〜１１Ｈの第１アンテナＡＴ１とＥＣＵ基板１２の第２アンテナＡＴ２との間の通信経路に他の検出用基板１１Ａ〜１１Ｈの第１アンテナＡＴ１がなるべく配置されないようにできる。
【００２６】
なお、上述した第１実施形態によれば、ＥＣＵ基板１２に搭載された第２アンテナＡＴ２は、バッテリ２１上面の幅方向Ｄ１中央に配置されていたがこれに限ったものではない。第２アンテナＡＴ２は、バッテリ２１上面の並び方向Ｄ２中央に配置されていればよく、幅方向Ｄ１の中央に配置しなくてもよい。
【００２７】
また、上述した第１実施形態によれば、検出用基板１１Ａ〜１１Ｈに搭載された第１アンテナＡＴ１は、並び方向Ｄ２に沿って一列に並べて配置されていたが、これに限ったものではない。本発明は第２アンテナＡＴ２が、バッテリ２１上面の並び方向Ｄ２中央に配置されていればよく、第１アンテナＡＴ１は対応する電池モジュール２１Ａ〜２１Ｈに搭載されていればどの位置に搭載されていてもよい。
【００２８】
（第２実施形態）
次に、第２実施形態におけるバッテリ監視装置について図３を参照して説明する。図３において、図１について上述した第１実施形態で既に説明した部分と同等の部分については同一の符号を付してその詳細な説明を省略する。第１実施形態と第２実施形態とで大きく異なる点は複数の検出用基板１１Ａ〜１１Ｈ及びＥＣＵ基板１２の配置位置である。
【００２９】
第２実施形態においてＥＣＵ基板１２は、バッテリ２１の上面視において並び方向Ｄ２中央かつ幅方向Ｄ１中央に配置される。ＥＣＵ基板１２は、バッテリ２１に搭載してバッテリ２１の上面上に配置してもよいし、図示しない蓋部に搭載してバッテリ２１の上面上に配置してもよい。
【００３０】
また、第２実施形態において複数の検出用基板１１Ａ〜１１Ｈは、図３に示すように、各電池モジュール２１Ａ〜２１Ｈ上面上に配置されている。複数の検出用基板１１Ａ〜１１Ｈのうち並び方向Ｄ２一方側（図面上側）から奇数番目に配置された検出用基板１１Ａ、１１Ｃ、１１Ｅ、１１Ｇは、ＥＣＵ基板１２よりも幅方向Ｄ１一方側（図面右側）に並び方向Ｄ２に沿って一列に配置される。一方、複数の検出用基板１１Ａ〜１１Ｈのうち並び方向Ｄ２一方側から偶数番目に配置された検出用基板１１Ｂ、１１Ｄ、１１Ｆ、１１Ｈは、ＥＣＵ基板１２よりも幅方向Ｄ１他方側（図面左側）に並び方向Ｄ２に沿って一列に配置される。
【００３１】
また、検出用基板１１Ａ〜１１Ｈは、例えば長尺状の基板であり、その長手方向が幅方向Ｄ１に沿うように配置されている。第１アンテナＡＴ１は、検出用基板１１Ａ〜１１Ｈの長手方向の一端部に配置され、その一端部がＥＣＵ基板１２側に向けて配置されている。
【００３２】
上述した実施形態によれば、各検出用基板１１Ａ〜１１Ｈの第１アンテナＡＴ１とＥＣＵ基板１２の第２アンテナＡＴ２との間の通信経路に他の検出用基板１１Ａ〜１１Ｈの第１アンテナＡＴ１がなるべく配置されないようにして、通信品質の安定化及び向上を図ることができる。
【００３３】
また、検出用基板１１Ａ〜１１Ｈの第１アンテナＡＴ１とＥＣＵ基板１２の第２アンテナＡＴ２との通信が中継方式の場合であっても、検出用基板１１Ａ〜１１Ｈの第１アンテナＡＴ１と中継する検出用基板１１Ａ〜１１Ｈの第１アンテナＡＴ１との間に他の検出用基板１１Ａ〜１１Ｈの第１アンテナＡＴ１がなるべく配置されないようにして、通信品質の安定化及び向上を図ることができる。
【００３４】
（第３実施形態）
次に、第３実施形態におけるバッテリ監視装置について図４を参照して説明する。図４において、図１について上述した第１実施形態で既に説明した部分と同等の部分については同一の符号を付してその詳細な説明を省略する。第１実施形態と第３実施形態とで大きく異なる点は複数の検出用基板１１Ａ〜１１Ｈ及びＥＣＵ基板１２の配置位置である。
【００３５】
第３実施形態においてＥＣＵ基板１２は、バッテリ２１の上面視において並び方向Ｄ２中央かつ幅方向Ｄ１中央に配置される。ＥＣＵ基板１２は、バッテリ２１に搭載してバッテリ２１の上面上に配置してもよいし、図示しない蓋部に搭載してバッテリ２１の上面上に配置してもよい。
【００３６】
また、第３実施形態において複数の検出用基板１１Ａ〜１１Ｈは、図４に示すように、各電池モジュール２１Ａ〜２１Ｈの上面上に配置されている。複数の検出用基板１１Ａ〜１１Ｈのうち並び方向Ｄ２両端に配置された電池モジュール２１Ａ、２１Ｈに搭載された検出用基板１１Ａ、１１Ｈは、電池モジュール２１Ａ、２１Ｈの上面上において幅方向Ｄ１中央に配置されている。
【００３７】
また、残りの検出用基板１１Ｂ〜１１Ｇのうち並び方向Ｄ２一方側（図面上側）から奇数番目に配置された検出用基板１１Ｃ、１１Ｅ、１１Ｇは、ＥＣＵ基板１２よりも幅方向Ｄ１一方側（図面右側）に配置される。一方、残りの検出用基板１１Ｂ〜１１Ｇのうち並び方向Ｄ２一方側から偶数番目に配置された検出用基板１１Ｂ、１１Ｄ、１１Ｆは、ＥＣＵ基板１２よりも幅方向Ｄ１他方側（図面左側）に配置される。また、並び方向Ｄ２中央に近い電池モジュール２１Ａ〜２１Ｈに搭載された検出用基板１１Ａ〜１１Ｈほど、幅方向Ｄ１中央から離れた位置に配置される。なお、本実施形態では、図４、図５に示すように、検出用基板１１Ｂ、１１Ｃ、１１Ｆ、１１Ｇに搭載された第１アンテナＡＴ１の向きがＥＣＵ基板１２と向き合うように幅方向Ｄ１、並び方向Ｄ２に対して斜めに配置した例について説明するが、これに限定されるものではない。検出用基板１１Ｂ、１１Ｃ、１１Ｆ、１１Ｇに搭載された第１アンテナＡＴ１の向きは、例えば幅方向Ｄ１、並び方向Ｄ２に平行して配置されていてもよい。
【００３８】
また、検出用基板１１Ａ〜１１Ｈは、例えば長尺状の基板であり、第１アンテナＡＴ１は、検出用基板１１Ａ〜１１Ｈの長手方向の一端部に配置される。検出用基板１１Ａ〜１１Ｈは、第１アンテナＡＴ１が搭載された一端部がＥＣＵ基板１２側に向けられるように配置されている。これにより、通信品質の安定化及び向上を図ることができる。
【００３９】
この結果、図４に示すように、バッテリ２１上面の中央にＥＣＵ基板１２を配置し、ＥＣＵ基板１２を囲む円に沿って複数の検出用基板１１Ａ〜１１Ｈを配置することができる。そして、各検出用基板１１Ａ〜１１Ｈは、その長手方向がＥＣＵ基板１２を中心とした放射線上に沿って配置される。
【００４０】
上述した第３実施形態によれば、各検出用基板１１Ａ〜１１Ｈの第１アンテナＡＴ１とＥＣＵ基板１２の第２アンテナＡＴ２との間の通信経路に他の検出用基板がなるべく配置されないようにして、通信品質の安定化及び向上を図ることができる。しかも、第２実施形態に比べて、各検出用基板１１Ａ〜１１Ｈの第１アンテナＡＴ１とＥＣＵ基板１２の第２アンテナＡＴ２との距離をより一層均等化できるため、より一層、通信品質の安定化及び向上を図ることができる。
【００４１】
また、検出用基板１１Ａ〜１１ＨとＥＣＵ基板１２との通信が中継方式の場合であっても、検出用基板１１Ａ〜１１Ｈの第１アンテナＡＴ１と中継する検出用基板１１Ａ〜１１Ｈの第１アンテナＡＴ１との間に他の検出用基板１１Ａ〜１１Ｈの第１アンテナＡＴ１がなるべく配置されないようにして、通信品質の安定化及び向上を図ることができる。しかも、検出用基板１１Ａ〜１１Ｈの第１アンテナＡＴ１と検出用基板１１Ａ〜１１Ｈの第１アンテナＡＴ１との距離も均等化できるため、より一層、通信品質の安定化及び向上を図ることができる。
【００４２】
次に、第３実施形態の変形例について図５を参照して説明する。図５において、図４について上述した第３実施形態で既に説明した部分と同等の部分については同一の符号を付してその詳細な説明を省略する。第３実施形態と第４実施形態とで大きく異なる点はバッテリ２１の構成である。
【００４３】
同図に示すように、バッテリ２１の上面を正方形に近づける。複数の検出用基板１１Ａ〜１１ＨとＥＣＵ基板１２との配置は、第３実施形態と同様であるため、ここでは詳細な説明を省略する。このように、バッテリ２１の上面を正方形に近づけることにより、検出用基板１１Ａ〜１１Ｈの第1アンテナＡＴ１とＥＣＵ基板１２の第１アンテナＡＴ１との距離、検出用基板１１Ａ〜１１Ｈの第１アンテナＡ１と検出用基板１１Ａ〜１１Ｈの第１アンテナＡＴ１との距離をより一層均等化することができ、通信品質の安定化及び向上を図ることができる。
【００４４】
（第４実施形態）
次に、第４実施形態におけるバッテリ監視装置について図６〜図８を参照して説明する。図６〜図８において、図１について上述した第１実施形態で既に説明した部分と同等の部分については同一の符号を付してその詳細な説明を省略する。第１実施形態と第４実施形態とで大きく異なる点は、複数の検出用基板１１Ａ〜１１Ｅ及びＥＣＵ基板１２の配置位置である。また、本実施形態では、第１〜第３実施形態と異なり、バッテリ２１は、５つの電池モジュール２１Ａ〜２１Ｅから構成され、５つの検出用基板１１Ａ〜１１Ｅが各電池モジュール２１Ａ〜２１Ｅに搭載されている。
【００４５】
複数の検出用基板１１Ａ〜１１Ｅは、複数の電池モジュール２１Ａ〜２１Ｅの上面（ｘｙ平面）上に配置される。そして、図７に示すように、複数の検出用基板１１Ａ〜１１Ｅは、ｘｙ平面上において第１アンテナＡＴ１の指向性が最も強い方向に沿って並べて配置されている。本実施形態では、ｘｙ平面において第１アンテナＡＴ１の指向性が最も強い方向は、並び方向Ｄ２と平行であり、複数の検出用基板１１Ａ〜１１Ｅは、並び方向Ｄ２に沿って一列に配置されている。
【００４６】
ＥＣＵ基板１２は、図８に示すように、複数の検出用基板１１Ａ〜１１Ｅのうち中央に配置された検出用基板１１Ｃと、ｘｙ平面と直交するｙｚ平面上において第１アンテナＡＴ１及び第２アンテナＡＴ２の指向性が最も強い方向に対向して配置される。本実施形態では、ｙｚ平面において第１アンテナＡＴ１及び第２アンテナＡＴ２の指向性が最も強い方向は、高さ方向Ｄ３であり、検出用基板１１ＣとＥＣＵ基板１２とは、高さ方向Ｄ３に対向して設けられている。なお、高さ方向Ｄ３は、ｙｚ平面のｚ軸方向であり、幅方向Ｄ１及び並び方向Ｄ２の双方に直交する方向である。本実施例ではｙｚ平面上において第１アンテナＡＴ１及び第２アンテナＡＴ２の指向性が最も強い方向に対向して配置される例を示したが、ｘｚ平面上において第１アンテナＡＴ１及び第２アンテナＡＴ２の指向性が最も強い方向に対向して配置されていてもよい。
【００４７】
上述した第４実施形態における通信方式は、例えば、第１実施形態のように検出用基板１１Ａ〜１１Ｈと、ＥＣＵ基板１２と、の直接通信を採用し、直接通信できない場合（異常時）、検出用基板１１Ａ〜１１Ｈは、他の検出用基板を経由してＥＣＵ基板１２と通信を行うようにしてもよい。或いは指向性が最も強い第１アンテナＡＴ１のある検出用基板１１Ｃと基本的に中継するようにしてもよい。第４実施形態の例では、ＥＣＵ基板１２の第２アンテナＡＴ２と指向性が最も強い検出用基板１１Ｃと中継するようにしてもよい。
【００４８】
上述した第４実施形態によれば、複数の第１アンテナＡＴ１は、複数の電池モジュール２１Ａ〜２１Ｅの上面において第１アンテナＡＴ１の指向性が最も強い方向（並び方向Ｄ２）に沿って並べられ、第２アンテナＡＴ２は、複数の検出用基板の一つである検出用基板１１Ｃの第１アンテナＡＴ１と、ｙｚ平面上において第１アンテナＡＴ１及び第２アンテナＡＴ２の指向性が最も強い方向（高さ方向Ｄ３）に対向して配置される。これにより、各検出用基板１１Ａ〜１１Ｅの第１アンテナＡＴ１間、検出用基板１１Ｃの第１アンテナＡＴ１−ＥＣＵ基板１２の第２アンテナＡＴ２間の電波強度を高めることができ、通信品質の安定化及び向上を図ることができる。
【００４９】
なお、上述した第４実施形態によれば、ＥＣＵ基板１２は、検出用基板１１Ｃと対向して配置されていたが、これに限ったものではない。ＥＣＵ基板１２は、検出用基板１１Ａ〜１１Ｅのうち１つと対向配置していればよく、検出用基板１１Ａ、１１Ｂ、１１Ｄ、１１Ｅと対向配置してもよい。
【００５０】
また、上述した第１〜第４実施形態によれば、ＥＣＵ基板１２を蓋部２２２に設けていたが、これに限ったものではない。例えば図９に示すように、ＥＣＵ基板１２を電池モジュール２１Ａ〜２１Ｅの側面に配置するようにし、その上で第２アンテナＡＴ２と検出用基板１１Ａ〜１１Ｅの少なくとも１つ（例えば検出用基板１１Ｃ）の第１アンテナＡＴ１と指向性が強くなるように配置してもよい。
【００５１】
なお、本発明は上記実施形態に限定されるものではない。即ち、本発明の骨子を逸脱しない範囲で種々変形して実施することができる。
【符号の説明】
【００５２】
１  バッテリ監視装置
１１Ａ〜１１Ｈ  検出用基板
１２１  ＥＣＵ（監視部）
２１Ａ〜２１Ｈ  電池モジュール
１１１  検出回路
ＡＴ１  第１アンテナ
ＡＴ２  第２アンテナ
Ｄ１  幅方向（直交方向）
Ｄ２  並び方向
【図１】
2020027767.tif 000003
【図２】
2020027767.tif 000004
【図３】
2020027767.tif 000005
【図４】
2020027767.tif 000006
【図５】
2020027767.tif 000007
【図６】
2020027767.tif 000008
【図７】
2020027767.tif 000009
【図８】
2020027767.tif 000010
【図９】
2020027767.tif 000011